(57)【特許請求の範囲】
【請求項１】
第１の信号を生成する第１の信号生成手段と、
前記第１の信号と前記第１の信号が増幅器で増幅された第２の信号とに基づいて、前記増幅器による増幅によって前置歪み補償（ＤＰＤ：Digital Pre-Distortion）処理で除去可能な歪みが抑圧された信号が第４の信号として出力される第３の信号を生成する第２の信号生成手段と、
前記第１の信号及び前記第３の信号の一方を前記増幅器へ出力する第１のスイッチと、
前記第１の信号と前記第４の信号とに基づいて、前記増幅器において付加される歪みを計測する計測手段と、
を備える特性検出装置。
【請求項２】
前記第３の信号をＸｃ（ｔ）、前記第１の信号をＸ（ｔ）、前記第２の信号をＹ（ｔ）とすると、Ｘｃ（ｔ）はＸ（ｔ）×Ｘ（ｔ）／Ｙ（ｔ）を満たす、請求項１に記載された特性検出装置。
【請求項３】
前記計測手段は、前記第１の信号に対する前記第４の信号のＡＭ（Amplitude Modulation）／ＡＭ特性の分散及びＡＭ／ＰＭ（Phase Modulation）特性の分散の少なくとも一方に基づいて、前記増幅器において付加される歪みを計測する、請求項１又は２に記載された特性検出装置。
【請求項４】
前記第１の信号は、ＩＳＤＢ−Ｔ（Integrated Services Digital Broadcasting for Terrestrial Television Broadcasting）に基づく信号である、請求項１乃至３のいずれかに記載された特性検出装置。
【請求項５】
入力されたデータを変調して第５の信号を出力する変調手段と、
前記増幅器の出力に基づいて前記第５の信号にＤＰＤ処理を行った信号を第６の信号として出力する歪み補償器と、
前記第１のスイッチの出力及び前記第６の信号の一方を前記増幅器へ出力する第２のスイッチと、
をさらに備える請求項１乃至４のいずれかに記載された特性検出装置。
【請求項６】
前記第１の信号は、振幅の確率分布及び占有帯域幅が前記第５の信号と同一である、請求項５に記載された特性検出装置。
【請求項７】
前記第１の信号は、前記第５の信号に含まれる繰り返し信号である、請求項５又は６に記載された特性検出装置。
【請求項８】
前記計測手段の計測結果に基づいて前記増幅器の劣化を検出する検出手段を備える、請求項５乃至７のいずれかに記載された特性検出装置。
【請求項９】
請求項５乃至８のいずれかに記載された特性検出装置と、
前記特性検出装置から出力される前記第１の信号、前記第３の信号及び前記第６の信号を増幅する増幅器と、
前記増幅器の出力の一部を前記特性検出装置の前記第２の信号生成手段及び前記歪み補償器に出力する分配器と、
を備える送信機。
【請求項１０】
第１の信号を生成し、
前記第１の信号と前記第１の信号が増幅器で増幅された第２の信号とに基づいて、前記増幅器による増幅によって前置歪み補償（ＤＰＤ：Digital Pre-Distortion）処理で除去可能な歪みが抑圧された信号が第４の信号として出力される第３の信号を生成し、
前記第１の信号及び前記第３の信号の一方を前記増幅器へ出力し、
前記第１の信号と前記第４の信号とに基づいて、前記増幅器において付加される歪みを計測する、
特性検出方法。
【発明の詳細な説明】
【技術分野】
【０００１】
本発明は特性検出装置及び特性検出方法に関し、特に、電力増幅器の特性変化を検出するための技術に関する。
【背景技術】
【０００２】
送信機が備える電力増幅器（ＰＡ：Power Amplifier）の入出力特性を示す指標として、ＡＭ（Amplitude Modulation）／ＡＭ特性、及び、ＡＭ／ＰＭ（Phase Modulation）特性が知られている。ＡＭ／ＡＭ特性は、ＰＡへの入力信号の振幅と出力信号の振幅との関係を示す。ＡＭ／ＰＭ特性は、ＰＡへの入力信号の振幅と出力信号の位相変化量との関係を示す。歪みを持たない理想的なＰＡのＡＭ／ＡＭ特性は、入力信号の振幅の変化に対して出力信号の振幅が直線的に変化することを示す。また、理想的なＰＡのＡＭ／ＰＭ特性は、入力信号の振幅の変化に対して出力信号の位相の変化がなく一定であることを示す。
【０００３】
また、送信機の歪み補償技術として、デジタル前置歪み補償（ＤＰＤ：Digital Pre-Distortion）が知られている。ＡＭ／ＡＭ特性やＡＭ／ＰＭ特性、及びそれらの分散の測定結果には、ＤＰＤで充分に補償可能な歪みと、それ以外の、ＤＰＤでは充分に補償できない歪みが含まれる。以下では、「ＤＰＤで充分に補償可能な歪み」を「補償可能歪み」、「ＤＰＤでは充分に補償できない歪み」を「補償不能歪み」と記載する。補償可能歪みには、リニア特性の変化やメモリ歪みに起因する歪みがある。メモリ歪みは、増幅器の出力信号が過去の入力信号による影響を受けて生じる歪みである。補償不能歪みには、ＰＡ全体の経年劣化に起因して生ずる歪み等がある。
【０００４】
ＰＡの歪み測定及び歪み補償に関して、特許文献１には、ＡＭ／ＡＭ特性及びＡＭ／ＰＭ特性に基づいてＰＡの歪み補償を行う技術が記載されている。特許文献２には、ＰＡの経年変化による特性変化を推定する技術が記載されている。さらに、非特許文献１には、歪みを補償する信号を生成する技術が記載されている。
【先行技術文献】
【特許文献】
【０００５】
【特許文献１】特開２０１４−１０３５４０号公報
【特許文献２】特開２０１２−１７８７４０号公報
【非特許文献】
【０００６】
【非特許文献１】J. Jeong et al., "Wideband Envelope Tracking Power Amplifiers With Reduced Bandwidth Power Supply Waveforms and Adaptive Digital Predistortion Techniques", IEEE TRANSACTIONS ON MICROWAVE THEORY AND TECHNIQUES, Vol. 57, No. 12, pp. 3307-3314, December 2009, U.S.A.
【発明の概要】
【発明が解決しようとする課題】
【０００７】
補償不能歪みには、メモリ歪等を含まない、経年劣化に起因して生ずる歪みが含まれる。従って、ＰＡの出力に含まれる補償不能歪みだけを抽出し、この歪みの経年的な変化を計測することで、ＰＡの保守や交換の目安とすることができる。しかし、一般に、ＰＡに入力される運用中の変調波はランダム信号を含むため、運用中の変調波に含まれる補償可能歪みを完全に補償して補償不能歪みだけを抽出するためには大規模な回路が必要となる。このため、ＰＡの出力から補償不能歪みだけを抽出することは困難である。
【０００８】
（発明の目的）
本発明の目的は、ＤＰＤでは充分に補償できない歪み（補償不能歪み）を抽出することが可能な技術を提供することにある。
【課題を解決するための手段】
【０００９】
本発明の特性検出装置は、第１の信号を生成する第１の信号生成手段と、前記第１の信号と前記第１の信号が増幅器で増幅された第２の信号とに基づいて、前記増幅器による増幅によって前置歪み補償（ＤＰＤ：Digital Pre-Distortion）処理で除去可能な歪みが抑圧された信号が第４の信号として出力される第３の信号を生成する第２の信号生成手段と、前記第１の信号及び前記第３の信号の一方を前記増幅器へ出力する第１のスイッチと、前記第１の信号と前記第４の信号とに基づいて、前記増幅器において付加される歪みを計測する計測手段と、を備える。
【００１０】
本発明の特性検出方法は、第１の信号を生成し、前記第１の信号と前記第１の信号が増幅器で増幅された第２の信号とに基づいて、前記増幅器による増幅によって前置歪み補償（ＤＰＤ：Digital Pre-Distortion）処理で除去可能な歪みが抑圧された信号が第４の信号として出力される第３の信号を生成し、前記第１の信号及び前記第３の信号の一方を前記増幅器へ出力し、前記第１の信号と前記第４の信号とに基づいて、前記増幅器において付加される歪みを計測する、手順を備える。
【発明の効果】
【００１１】
本発明は、ＤＰＤでは充分に補償できない歪みを抽出することを可能とする。
【図面の簡単な説明】
【００１２】
【図１】第１の実施形態の送信機１００の構成例を示すブロック図である。
【図２】送信機１００の動作例を示すフローチャートである。
【図３】補償可能歪みと補償不能歪みとが分離されていない場合のＡＭ／ＡＭ特性の例を示す図である。
【図４】補償不能歪みが比較的少ない場合の、ＡＭ／ＡＭ特性の例を示す図である。
【図５】補償不能歪みが比較的多い場合の、ＡＭ／ＡＭ特性の例を示す図である。
【図６】第２の実施形態の送信機１００Ａの構成例を示すブロック図である。
【図７】送信機１００Ａの動作例を示すフローチャートである。
【発明を実施するための形態】
【００１３】
ＡＭ／ＡＭ特性の分散やＡＭ／ＰＭ特性の分散（すなわち、ある一定振幅の信号を与えた時の出力振幅のばらつき及び入出力の位相差のばらつき）を測定することでＰＡの特性変化を検出できる。以下に説明する実施形態では、主信号とは独立したテスト信号を用いることにより、簡単な仕組みによりＰＡで生じる補償可能歪みを補償し、ＰＡで生じる補償不能歪みのみが抽出される。さらに、補償不能歪みの量に基づいて、ＰＡの交換や修理時期を判断する実施形態についても説明する。
【００１４】
（第１の実施形態）
図１は、本発明の第１の実施形態の送信機１００の構成例を示すブロック図である。送信機１００は、変調器１、電力増幅器（ＰＡ）２及び分配器３を備える。分配器３として、例えば方向性結合器を用いることができる。送信機１００は、例えば、テレビジョン信号の送信に用いられる。変調器１は、入力されたデジタルデータを変調して高周波（ＲＦ：Radio Frequency）信号に変換する。ＰＡ２は、変調器１から出力されたＲＦ信号を、所定の電力に増幅する。ＰＡ２の出力には分配器３が配置される。分配器３は、ＰＡ２の出力を２分岐する。分配器３は、分岐されたＰＡ２の出力の一部を変調器１へ出力し、他方をアンテナ４へ出力する。アンテナ４は、分配器３から入力されたＰＡ２の出力を電波として放射する。
【００１５】
変調器１は、変調部１０、ＤＰＤ部１１、スイッチ１２及び１５、テスト信号生成部１３、補償テスト信号生成部１４、計測部１６を備える。分配器３から入力されたＰＡ２の出力信号は、ＤＰＤ部１１及び補償テスト信号生成部１４へ入力される。
【００１６】
変調部１０は、映像信号等のデジタルデータを、ＩＳＤＢ−Ｔ等で規定された信号へ変調する。ＩＳＤＢは「Integrated Services Digital Broadcasting」、ＩＳＤＢ−Ｔは「ISDB for Terrestrial Television Broadcasting」の略である。
【００１７】
ＤＰＤ部１１は、デジタル前置歪み補償機能を備える。すなわち、ＤＰＤ部１１は、ＰＡ２で発生する歪みの逆特性を持つ歪みを、変調部１０で変調された信号に付加する。その結果、ＰＡ２の出力信号に含まれる補償可能歪みが抑圧される。
【００１８】
スイッチ１２及び１５は、電気信号の経路を切り替える。スイッチ１２及び１５として、１入力２出力のスイッチを用いることができる。スイッチ１２は、ＤＰＤ部１１から出力される主信号とＰＡ２の状態を診断する診断信号とのいずれかをＰＡ２へ出力する。スイッチ１５は、テスト信号と補償テスト信号との一方を診断信号としてスイッチ１２に出力する。計測部１６は、分配器３から入力される信号とテスト信号とに基づいて、ＰＡ２のＡＭ／ＡＭ特性、ＡＭ／ＰＭ特性、及びそれらの分散を計測する。
【００１９】
テスト信号生成部１３は、テスト信号を生成して出力する。テスト信号は、既知の繰り返し変調信号である。テスト信号として、ＩＳＤＢ−Ｔで規定された、変調器１で生成される信号の一部を記録した信号が用いられてもよい。補償テスト信号生成部１４は、テスト信号と、テスト信号がＰＡ２で増幅された信号と、に基づいて、補償テスト信号を生成する。補償テスト信号は、ＰＡ２で増幅されることによって、テスト信号に含まれる「補償可能歪み」が充分に補償される信号である。補償テスト信号は、テスト信号の全てのサンプルデータに対してそれぞれのサンプルデータ毎にＰＡ２の逆特性を演算することで得られる。すなわち、補償テスト信号は、専用の装置を用意しなくとも、テスト信号とＰＡ２の出力信号とから容易に生成される。
【００２０】
補償テスト信号をＰＡ２で増幅すると、ＰＡ２からは、メモリ歪みやリニア特性を含む補償可能歪みが充分に補償された信号が出力される。すなわち、補償テスト信号をＰＡ２で増幅した信号の歪みには補償可能歪みはほとんど含まれず、補償不能歪みのみが含まれると考えてよい。従って、この信号のＡＭ／ＡＭ特性及びＡＭ／ＰＭ特性、及びそれらの分散から、補償不能歪み、すなわちＤＰＤでは補償できない歪みのみを抽出できる。
【００２１】
（第１の実施形態の動作の説明）
図２は、図１に示した送信機１００の動作例を示すフローチャートである。通常は、スイッチ１２は、ＤＰＤ部１１の出力がＰＡ２で増幅されるように設定される（「通常モード」）。通常モードでは、ＰＡ２の出力の一部が分配器３を介してＤＰＤ部１１に入力される。ＤＰＤ部１１は、分配器３から入力された信号に基づいて、変調部１０が出力した信号にＤＰＤのための処理を行う。
【００２２】
図２のフローチャートは、変調器１が「通常モード」から「ＰＡ診断モード」に変更される時点から開始される。まず、変調器１が「ＰＡ診断モード」に設定される。ＰＡ診断モードの設定指示は、変調器１の外部から保守者が行ってもよい。ＰＡ診断モードでは、まず、テスト信号生成部１３から出力されるテスト信号がＰＡ２で増幅されるように、スイッチ１２及び１５が設定される（図２のステップＳ１）。
【００２３】
次に、補償テスト信号生成部１４は、テスト信号とＰＡ２の出力信号とに基づいて、補償テスト信号Ｘｃ（ｔ）を生成する（ステップＳ２）。補償テスト信号Ｘｃ（ｔ）は、テスト信号をＸ（ｔ）、ＰＡ２の出力信号をＹ（ｔ）とすると以下の式（１）を用いて容易に求めることができる。
【００２４】
続いて、補償テスト信号がＰＡ２で増幅されるように、スイッチ１２及び１５が設定される（ステップＳ３）。ステップＳ２からステップＳ３への移行では、スイッチ１５の入力がテスト信号生成部１３から補償テスト信号生成部１４へ切り替えられる。補償テスト信号がＰＡ２で増幅された場合、ＰＡ２からは、補償可能歪みが充分に補償されているが補償不能歪みが残存する信号が出力される。計測部１６は、テスト信号と、ＰＡ２の出力信号とに基づいて、ＰＡ２のＡＭ／ＡＭ特性及びＡＭ／ＰＭ特性を計測し、さらにそれらの分散を計測する（ステップＳ４）。ＰＡ２の出力信号に含まれる歪みのうち、補償可能歪みは、ステップＳ２の手順によりあらかじめ補償されている。従って、計測部１６で計測された分散が大きいほど、ＤＰＤで補償することができない歪みが大きいことになる。
【００２５】
図３は、ＰＡ２の出力において、補償可能歪みと補償不能歪みとが分離されていない場合のＡＭ／ＡＭ特性の例を示す図である。図３の横軸はテスト信号の振幅Ｐ０であり、縦軸はＰＡ２の出力信号の振幅Ｐ１である。Ｐ０及びＰ１は任意目盛である。ＡＭ／ＡＭ特性の縦軸方向のばらつき、すなわち同一の入力電力に対する出力電力の分散が大きいほど、出力信号の歪みが大きい。しかし、図３の分散には補償可能歪みと補償不能歪みとが含まれるため、図３の測定結果から補償不能歪みの大きさのみを求めることはできない。
【００２６】
図４及び図５は、図２の手順により測定された、ＰＡ２のＡＭ／ＡＭ特性の例を示す図である。図４は補償不能歪みが比較的少ない場合の例であり、図５は、図４と比較して補償不能歪みが大きい場合の例である。図４及び図５の横軸はいずれもテスト信号の振幅Ｐ０であり、縦軸はＰＡ２の出力信号の振幅Ｐ２である。図４及び図５は、補償テスト信号がＰＡ２に入力された場合の特性の例を示す。図２の手順により、ＰＡ２で増幅された補償テスト信号からは、補償可能歪みは除去される。その結果、図４及び図５では、ＡＭ／ＡＭ特性の分散から補償不能歪みの量を抽出できる。また、補償テスト信号を用いたＡＭ／ＡＭ特性の計測を適当な時間間隔で行って分散の経時的な変動を求めることで、補償不能歪みの経時的な変化を知ることもできる。このような手順により、補償可能歪みと補償不能歪みとが分離されない場合と比較して、補償不能歪みの経時的な変化に基づいて、ＰＡの劣化量をより正確かつ定量的に検出できる。
【００２７】
本実施形態では、ＡＭ／ＡＭ特性の分散の測定結果に基づいて補償不能歪みの量や変化を抽出する手順について説明した。しかし、補償不能歪みの量や変化は、ＡＭ／ＰＭの分散の測定結果に基づいて求めることもできる。ＡＭ／ＰＭ特性では、ＰＡ２への入力信号の振幅変化に対する出力信号の位相の変化が測定される。ＡＭ／ＰＭ特性の分散、すなわち位相変化の分散の大きさを測定することによっても、補償不能歪みの量や変化を抽出できる。また、補償不能歪みの量や変化は、ＡＭ／ＡＭ特性の分散の値のみ、ＡＭ／ＰＭ特性の分散の値のみ、あるいはこれらの分散を重み付けした値から求めてもよい。
【００２８】
分散の値から歪みの量を求める手順は特に限定されない。例えば、図４又は図５において、特定の振幅におけるテスト信号の、ＰＡ２の出力振幅の分散を歪みの量と定義してもよい。あるいは、複数のテスト信号の振幅に対するＰＡ２の出力振幅のそれぞれの分散を求め、それらの平均値を歪みの量と定義してもよい。
【００２９】
このように、第１の実施形態の送信機１００は、ＰＡ２で発生する、ＤＰＤでは補償できない歪み（補償不能歪み）を抽出できるとともに、ＤＰＤで補償できない歪みの量に基づいて、ＰＡの劣化量をより正確かつ定量的に検出できる。
【００３０】
なお、テスト信号生成部１３で生成されるテスト信号は、変調器１から出力される変調信号（例えばＩＳＤＢ−Ｔの信号）から生成された信号に限られない。例えば、テスト信号として、信号の分布（振幅の確率分布）や占有帯域幅が変調信号と同一である他の信号を用いてもよい。また、テスト信号は、「カラーバー」等の繰り返しの映像信号等、放送信号として送信可能な繰り返し信号でもよい。
【００３１】
（第２の実施形態）
図６は、本発明の第２の実施形態の送信機１００Ａの構成例を示すブロック図である。送信機１００Ａは、変調器１Ａと、ＰＡ２と、分配器３を備える。分配器３として、例えば方向性結合器を用いることができる。第２の実施形態の変調器１Ａは、第１の実施形態の変調器１と比較して、検出部１７を備える点で相違する。検出部１７には、計測部１６における、補償不能歪みの量の計測結果が入力される。送信機１００Ａの検出部１７以外の部分の構成及び動作は第１の実施形態の送信機１００と同様であるので、同一の機能を備える要素には同一の参照符号を付して、説明は省略する。
【００３２】
検出部１７は、計測部１６におけるＡＭ／ＡＭ特性あるいはＡＭ／ＰＭ特性の分散の計測結果に基づいて、ＰＡの劣化を検出する。例えば、検出部１７は、ＡＭ／ＡＭ特性の分散とＡＭ／ＰＭ特性の分散の少なくとも一方が一定の値以上である場合には、ＰＡ２は劣化していると判定する。ＰＡ２の劣化が検出された場合には、検出部１７は、ＰＡ２の保守を促す警報を外部に出力してもよい。
【００３３】
図７は、図６に示した送信機１００Ａの動作例を示すフローチャートである。図７のフローチャートは、図２のフローチャートと比較して、ステップＳ５が追加されている点で相違する。図７のステップＳ１〜Ｓ４の手順は図２と同様であるので説明は省略する。上述したように、検出部１７は、ＡＭ／ＡＭ特性の分散とＡＭ／ＰＭ特性の分散の少なくとも一方が一定の値以上ならば、ＰＡ２は劣化していると判定する（図７のステップＳ５）。
【００３４】
第２の実施形態の送信機１００Ａは、ＤＰＤを用いてもなお抑圧できない歪みの計測結果に基づく診断機能を検出部１７として変調器１Ａに内蔵する。これにより、第２の実施形態の送信機１００Ａは、第１の実施形態の送信機１００の効果に加えて、ＰＡ２の劣化を判定し、判定結果を保守者へ迅速に通知できるという効果を奏する。そして、第２の実施形態の送信機１００Ａは、専用の装置を必要とせず、簡単な構成でＰＡの劣化を診断する機能を実現できる。
【００３５】
（第３の実施形態）
第１の実施形態で説明した効果を奏する構成は、以下の第３の実施形態の特性検出装置においても実現される。以下では、第１の実施形態の図１と対応する要素の名称及び参照符号には括弧を付して説明する。
【００３６】
特性検出装置は、第１の信号生成部（１３）と、第２の信号生成部（１４）と、第１のスイッチ（１５）と、計測部（１６）と、を備える。第１の信号生成部（１３）は、第１の信号（テスト信号）を生成する。第２の信号生成部（１４）は、第１の信号と、第１の信号が増幅器（２）で増幅された第２の信号とに基づいて、第３の信号（補償テスト信号）を生成する。第３の信号（補償テスト信号）は、増幅器（２）によって増幅されて第４の信号として出力される。
【００３７】
ここで、第３の信号は、当該第３の信号が増幅器（２）によって増幅された場合に、ＤＰＤ処理で除去可能な歪みが抑圧された信号が第４の信号として増幅器（２）から出力されるように生成される。
【００３８】
スイッチ（１５）は、第１の信号（テスト信号）及び第３の信号（補償テスト信号）の一方を増幅器（２）へ出力する。計測部（１６）は、第３の信号（補償テスト信号）を増幅器（２）で増幅した第４の信号と、第１の信号（テスト信号）とに基づいて、増幅器（２）において付加される歪みを計測する。
【００３９】
このような構成を備える特性検出装置は、第３の信号を増幅器で増幅した第４の信号ではＤＰＤ処理で除去可能な歪みが抑圧されている。このため、第１の信号と第４の信号とに基づいて計測された歪みから、ＤＰＤ処理で除去不能な歪みのみを抽出できる。その結果、第３の実施形態の特性検出装置は、増幅器の劣化をより正確かつ定量的に検出できる。
【００４０】
各実施形態の計測部は、中央処理装置（Central Processing Unit、ＣＰＵ）及び記憶装置を備えていてもよい。ＣＰＵ及び記憶装置は、変調器１又は１Ａの任意の要素に含まれうる。ＣＰＵは、記憶装置に記憶されたプログラムを実行することによって、各実施形態の変調器の機能を実現させる。記憶装置は固定された一時的でない記録媒体である。記録媒体としては半導体メモリ又は固定磁気ディスク装置が用いられるが、これらには限定されない。計測部以外の各部は、計測部からの指示によって制御されてもよい。
【００４１】
本発明の実施形態は以下の付記のようにも記載されうるが、これらには限定されない。
【００４２】
（付記１）
第１の信号を生成する第１の信号生成手段と、
前記第１の信号と前記第１の信号が増幅器で増幅された第２の信号とに基づいて、前記増幅器による増幅によって前置歪み補償（ＤＰＤ：Digital Pre-Distortion）処理で除去可能な歪みが抑圧された信号が第４の信号として出力される第３の信号を生成する第２の信号生成手段と、
前記第１の信号及び前記第３の信号の一方を前記増幅器へ出力する第１のスイッチと、
前記第１の信号と前記第４の信号とに基づいて、前記増幅器において付加される歪みを計測する計測手段と、
を備える特性検出装置。
【００４３】
（付記２）
前記第３の信号をＸｃ（ｔ）、前記第１の信号をＸ（ｔ）、前記第２の信号をＹ（ｔ）とすると、Ｘｃ（ｔ）はＸ（ｔ）×Ｘ（ｔ）／Ｙ（ｔ）を満たす、付記１に記載された特性検出装置。
【００４４】
（付記３）
前記計測手段は、前記第１の信号に対する前記第４の信号のＡＭ（Amplitude Modulation）／ＡＭ特性の分散及びＡＭ／ＰＭ（Phase Modulation）特性の分散の少なくとも一方に基づいて、前記増幅器において付加される歪みを計測する、付記１又は２に記載された特性検出装置。
【００４５】
（付記４）
前記第１の信号は、ＩＳＤＢ−Ｔ（Integrated Services Digital Broadcasting for Terrestrial Television Broadcasting）に基づく信号である、付記１乃至３のいずれかに記載された特性検出装置。
【００４６】
（付記５）
入力されたデータを変調して第５の信号を出力する変調手段と、
前記増幅器の出力に基づいて前記第５の信号にＤＰＤ処理を行った信号を第６の信号として出力する歪み補償器と、
前記第１のスイッチの出力及び前記第６の信号の一方を前記増幅器へ出力する第２のスイッチと、
をさらに備える付記１乃至４のいずれかに記載された特性検出装置。
【００４７】
（付記６）
前記第１の信号は、振幅の確率分布及び占有帯域幅が前記第５の信号と同一である、付記５に記載された特性検出装置。
【００４８】
（付記７）
前記第１の信号は、前記第５の信号に含まれる繰り返し信号である、付記５又は６に記載された特性検出装置。
【００４９】
（付記８）
前記計測手段の計測結果に基づいて前記増幅器の劣化を検出する検出手段を備える、付記５乃至７のいずれかに記載された特性検出装置。
【００５０】
（付記９）
付記５乃至８のいずれかに記載された特性検出装置と、
前記特性検出装置から出力される前記第１の信号、前記第３の信号及び前記第６の信号を増幅する増幅器と、
前記増幅器の出力の一部を前記特性検出装置の前記第２の信号生成手段及び前記歪み補償器に出力する分配器と、
を備える送信機。
【００５１】
（付記１０）
第１の信号を生成し、
前記第１の信号と前記第１の信号が増幅器で増幅された第２の信号とに基づいて、前記増幅器による増幅によって前置歪み補償（ＤＰＤ：Digital Pre-Distortion）処理で除去可能な歪みが抑圧された信号が第４の信号として出力される第３の信号を生成し、
前記第１の信号及び前記第３の信号の一方を前記増幅器へ出力し、
前記第１の信号と前記第４の信号とに基づいて、前記増幅器において付加される歪みを計測する、
特性検出方法。
【００５２】
（付記１１）
特性検出装置のコンピュータに、
第１の信号を生成する手順、
前記第１の信号と前記第１の信号が増幅器で増幅された第２の信号とに基づいて、前記増幅器による増幅によって前置歪み補償（ＤＰＤ：Digital Pre-Distortion）処理で除去可能な歪みが抑圧された信号が第４の信号として出力される第３の信号を生成する手順、
前記第１の信号及び前記第３の信号の一方を前記増幅器へ出力する手順、
前記第１の信号と前記第４の信号とに基づいて、前記増幅器において付加される歪みを計測する手順、
を実行させるための特性検出プログラム。
【産業上の利用可能性】
【００５３】
本発明の各実施形態は、テレビジョン送信機、ラジオ送信機、携帯電話送信機等の無線送信機や、ケーブルテレビジョン等の有線の伝送装置に適用できる。
【符号の説明】
【００５４】
１、１Ａ    変調器
２    電力増幅器（ＰＡ）
３    分配器
４    アンテナ
１０    変調部
１１    ＤＰＤ部
１２、１５    スイッチ
１３    テスト信号生成部
１４    補償テスト信号生成部
１６    計測部
１７    検出部
１００、１００Ａ    送信機
【図１】
0006665500.tif 000002
【図２】
0006665500.tif 000003
【図３】
0006665500.tif 000004
【図４】
0006665500.tif 000005
【図５】
0006665500.tif 000006
【図６】
0006665500.tif 000007
【図７】
0006665500.tif 000008